(57)【要約】【課題】間欠的に動作させつつ、表示品質の低下を防止できるように、表示モジュールを制御する。【解決手段】制御装置３０は、表示データを表示画像に変換する走査処理を行う走査モードと、該走査処理を休止する休止モードとを有する液晶モジュール１４を制御する。制御装置３０では、動画復号部３１は、符号化された動画のデータを復号して、該動画に含まれる各静止画の表示データを取得し、更新周期取得部３２は、動画の更新周期を取得する。間欠制御デバイス１８は、更新周期取得部３２が取得した更新周期に、走査モードおよび休止モードの繰返し周期を同期させるように、走査モードおよび休止モードを周期的に指示する。表示制御デバイス１５は、走査モードが指示されると、表示データを液晶モジュール１４に送信する。【選択図】図１
2012018271.tif 000002
【特許請求の範囲】
【請求項１】
表示データを表示画像に変換する走査処理を行う走査モードと、該走査処理を休止する休止モードとを有する表示モジュールを制御する表示モジュールの制御装置であって、
前記表示データを取得する表示データ取得手段と、
前記走査モードおよび前記休止モードを周期的に指示するモード指示手段と、
該モード指示手段が前記走査モードを指示すると、前記表示データを前記表示モジュールに送信するデータ送信手段とを備えており、
前記表示データ取得手段は、符号化された動画のデータを復号して、該動画に含まれる各静止画の表示データを取得しており、
前記動画の更新周期を取得する更新周期取得手段をさらに備えており、
前記モード指示手段は、該更新周期取得手段が取得した更新周期に、前記走査モードおよび前記休止モードの繰返し周期を同期させるように、前記走査モードおよび前記休止モードを指示することを特徴とする表示モジュールの制御装置。
【請求項２】
前記表示データ取得手段は、前記動画のデータから、該動画に含まれる各静止画を提示するタイミングを示す提示時刻情報をさらに取得しており、
前記更新周期取得手段は、前記表示データ取得手段が取得した提示時刻情報を利用して、前記動画の更新周期を取得することを特徴とする請求項１に記載の表示モジュールの制御装置。
【請求項３】
前記表示データ取得手段は、前記動画のデータから該動画のフレームレートを取得しており、
前記更新周期取得手段は、前記表示データ取得手段が取得した前記動画のフレームレートから前記動画の更新周期を取得することを特徴とする請求項１に記載の表示モジュールの制御装置。
【請求項４】
表示データを表示画像に変換する走査処理を行う走査モードと、該走査処理を休止する休止モードとを有する表示モジュールを制御する表示モジュールの制御装置であって、
前記表示データを取得する表示データ取得手段と、
前記走査モードおよび前記休止モードを周期的に指示するモード指示手段と、
該モード指示手段が前記走査モードを指示すると、前記表示データを前記表示モジュールに送信するデータ送信手段とを備えており、
前記表示データの更新を検知する更新検知手段をさらに備えており、
前記モード指示手段は、前記更新検知手段が前記表示データの更新を検知すると、前記走査モードを指示することを特徴とする表示モジュールの制御装置。
【請求項５】
前記モード指示手段は、前記更新検知手段が前記表示データの更新を検知すると、前記走査モードおよび前記休止モードの周期的な指示とは別に、前記走査モードを新たに指示することを特徴とする請求項４に記載の表示モジュールの制御装置。
【請求項６】
前記モード指示手段は、前記更新検知手段が前記表示データの更新を検知すると、前記走査モードを指示し、該指示を始点とする前記走査モードおよび前記休止モードの周期的な指示に変更することを特徴とする請求項４に記載の表示モジュールの制御装置。
【請求項７】
前記表示データ取得手段は、取得した表示データを記憶部に記憶しており、
前記データ送信手段は、前記記憶部に記憶された表示データを前記表示モジュールに送信しており、
前記更新検知手段は、前記記憶部における前記表示データの更新を検知することを特徴とする請求項４から６までの何れか１項に記載の表示モジュールの制御装置。
【請求項８】
表示データを表示画像に変換する走査処理を行う走査モードと、該走査処理を休止する休止モードとを有する表示モジュールと、該表示モジュールを制御する制御装置とを備える表示装置であって、
前記制御装置は、請求項１から７までの何れか１項に記載の表示モジュールの制御装置であることを特徴とする表示装置。
【請求項９】
液晶表示装置であることを特徴とする請求項８に記載の表示装置。
【請求項１０】
請求項８または９に記載の表示装置を備えた携帯型電子機器。
【請求項１１】
請求項１から７までの何れか１項に記載の表示モジュールの制御装置を動作させるための表示制御プログラムであって、コンピュータを上記の各手段として機能させるための表示制御プログラム。
【請求項１２】
請求項１１に記載の表示制御プログラムが記録されたコンピュータ読取り可能な記録媒体。
【請求項１３】
表示データを表示画像に変換する走査処理を行う走査モードと、該走査処理を休止する休止モードとを有する表示モジュールを制御する表示モジュールの制御装置の制御方法であって、
符号化された動画のデータを復号して、該動画に含まれる各静止画の表示データを取得する表示データ取得ステップと、
前記動画の更新周期を取得する更新周期取得ステップと、
該更新周期取得ステップにて取得された更新周期に、前記走査モードおよび前記休止モードの繰返し周期を同期させるように、前記走査モードおよび前記休止モードを周期的に指示するモード指示ステップと、
該モード指示ステップにて前記走査モードが指示されると、前記表示データを前記表示モジュールに送信するデータ送信ステップとを含むことを特徴とする表示モジュールの制御装置の制御方法。
【請求項１４】
表示データを表示画像に変換する走査処理を行う走査モードと、該走査処理を休止する休止モードとを有する表示モジュールを制御する表示モジュールの制御装置の制御方法であって、
前記表示データを取得する表示データ取得ステップと、
前記表示データの更新を検知する更新検知ステップと、
前記走査モードおよび前記休止モードを周期的に指示すると共に、前記更新検知ステップにて前記表示データの更新を検知すると前記走査モードを指示するモード指示ステップと、
該モード指示ステップにて前記走査モードが指示されると、前記表示データを前記表示モジュールに送信するデータ送信ステップとを含むことを特徴とする表示モジュールの制御装置の制御方法。
【発明の詳細な説明】
【技術分野】
【０００１】
本発明は、表示データを表示画像に変換する走査処理を行う走査モードと、該走査処理を休止する休止モードとを有する表示モジュールを制御する表示モジュールの制御装置および制御方法、表示装置、携帯型電子機器、表示制御プログラム、並びに該プログラムを記録した記録媒体に関するものである。
【背景技術】
【０００２】
一般に、表示装置は、表示モジュールと、該表示モジュールを制御する制御装置とを備えている。上記表示モジュールは、表示画素がマトリクス状に配列されたマトリクス型の表示素子と、該表示素子を駆動する駆動回路とを備える。
【０００３】
上記マトリクス型の表示素子は、ＬＣＤ（Liquid Crystal Display）、ＰＤＰ（Plasma Display Panel）、ＥＬ（Electroluminescence）ディスプレイ、ＦＥＤ（Field Emission Display）などのＦＰＤ（Flat Panel Display）に利用されている。ＦＰＤは、従来のＣＲＴ（Cathode Ray Tube）よりも薄型化かつ軽量化が可能であることから、近時、大多数の表示装置に利用されている。
【０００４】
一方、上記制御装置は、表示データと、上記表示素子を駆動するための各種制御信号とを、上記表示モジュールの上記駆動回路に送信する。これにより、上記表示モジュールの上記表示素子にて、表示データを表示画像に変換する走査処理が行われて、該表示画像が表示される。
【０００５】
従来の表示装置は、連続的に動作しているため、当該表示装置の消費電力が大きい要因となっていた。これに対し、間欠的に動作する表示装置が提案されており、例えば特許文献１〜４に記載されている。
【０００６】
特許文献１に記載のマトリクス型表示装置では、ＬＣＤモジュールの信号電極駆動回路にフレームバッファを内蔵している。そして、表示データに変更が無い場合には、モジュールコントローラからＬＣＤモジュールへの表示データの転送を行わない。これにより、消費電力を低減することができる。また、表示データに変更があった場合には、上記表示データの転送を液晶表示タイミングとは無関係に低周波クロックで行う。これにより、高周波クロックでの動作が不要となり、消費電力をさらに低減することができる。
【０００７】
また、特許文献２に記載の液晶表示装置では、液晶駆動回路は、ビデオ信号の未入力時には液晶表示に必要な駆動パルスの出力を停止し、ＬＣＤパネルに表示されている現画像を保持させている。上記駆動パルスの出力を停止することにより、消費電力を低減することができる。
【０００８】
また、特許文献３に記載の表示装置では、走査期間と非走査期間とが設定され、非走査期間では、コントロールＩＣが、ゲートドライバおよびソースドライバに対し、ゲートスタートパルス信号以外の信号を入力しないようにしている。これにより、上記非走査期間において上記ゲートドライバおよび上記ソースドライバの内部のロジック回路を動作させる必要がなくなるので、消費電力を削減することができる。
【０００９】
また、特許文献４に記載の表示装置では、ビデオ信号に付加されたアドレス情報またはビデオ信号の先頭情報により、ビデオ信号のフレームレートおよび基準時間を検出し、当該フレームレートが低下したことを検出した場合に、ビデオ信号の供給源に対し、当該表示装置へ伝送する画像信号の伝送速度を低下、または間引き伝送するよう要求するようにしている。これにより、画面の更新前後の画像が混在して見苦しい画面を表示するいわゆるテアリングを防止することができる。
【先行技術文献】
【特許文献】
【００１０】
【特許文献１】特開２００１−０６００７９号公報（２００１年０３月０６日公開）
【特許文献２】特開平１１−３３８４２５号公報（１９９９年１２月１０日公開）
【特許文献３】特開２００１−３１２２５３号公報（２００１年１１月０９日公開）
【特許文献４】特開２００３−０３６０４６号公報（２００３年０２月０７日公開）
【発明の概要】
【発明が解決しようとする課題】
【００１１】
しかしながら、特許文献１〜４では、ＣＰＵ（Central Processing Unit）等が行う画像の更新と、表示モジュールが行う画像の表示とは、互いに無関係である。このため、画像が更新されてから、更新された画像が表示されるまでの遅延期間が不定となる。
【００１２】
上記遅延期間は、上記走査処理の周期に依存する。従って、連続的に動作する表示装置の場合、上記走査処理の周期は、表示モジュールが１画面を表示する表示周期（例えば１／６０［秒］）となり、上記遅延期間は不定ではあるが短い。その結果、上記遅延期間のばらつきがさほど目立たず、表示品質にさほど影響がない。
【００１３】
一方、間欠的に動作する表示装置の場合、上記走査処理が休止している休止期間に応じて、上記走査処理の周期が長くなり、上記遅延期間が不定かつ長くなる。その結果、上記遅延期間のばらつきが目立つようになり、例えば、動画の表示タイミングが不均等になるなど、表示品質が低下することになる。
【００１４】
本発明は、上記の問題点に鑑みてなされたものであり、その目的は、間欠的に動作させつつ、上記表示品質の低下を防止できるように、上記表示モジュールを制御する制御装置などを提供することにある。
【課題を解決するための手段】
【００１５】
本発明に係る制御装置は、表示データを表示画像に変換する走査処理を行う走査モードと、該走査処理を休止する休止モードとを有する表示モジュールを制御する表示モジュールの制御装置であって、上記課題を解決するために、前記表示データを取得する表示データ取得手段と、前記走査モードおよび前記休止モードを周期的に指示するモード指示手段と、該モード指示手段が前記走査モードを指示すると、前記表示データを前記表示モジュールに送信するデータ送信手段とを備えており、前記表示データ取得手段は、符号化された動画のデータを復号して、該動画に含まれる各静止画の表示データを取得しており、前記動画の更新周期を取得する更新周期取得手段をさらに備えており、前記モード指示手段は、該更新周期取得手段が取得した更新周期に、前記走査モードおよび前記休止モードの繰返し周期を同期させるように、前記走査モードおよび前記休止モードを指示することを特徴としている。
【００１６】
また、本発明に係る制御方法は、表示データを表示画像に変換する走査処理を行う走査モードと、該走査処理を休止する休止モードとを有する表示モジュールを制御する表示モジュールの制御装置の制御方法であって、上記課題を解決するために、符号化された動画のデータを復号して、該動画に含まれる各静止画の表示データを取得する表示データ取得ステップと、前記動画の更新周期を取得する更新周期取得ステップと、該更新周期取得ステップにて取得された更新周期に、前記走査モードおよび前記休止モードの繰返し周期を同期させるように、前記走査モードおよび前記休止モードを周期的に指示するモード指示ステップと、該モード指示ステップにて前記走査モードが指示されると、前記表示データを前記表示モジュールに送信するデータ送信ステップとを含むことを特徴としている。
【００１７】
上記の構成および方法によると、動画の更新周期と、走査モードおよび休止モードの繰返し周期とが同期することになる。従って、表示モジュールを間欠的に動作させると共に、動画に含まれる画像が更新されてから、走査モードが指示されるまでの遅延期間が一定となる。
【００１８】
さらに、表示モジュールは、走査モードが指示されると共に、表示データも受信するので、受信した表示データを表示画像に変換して表示することになる。従って、走査モードが指示されてから、更新された画像が表示されるまでの期間が一定となる。
【００１９】
以上より、本発明は、画像が更新されてから、更新された画像が表示されるまでの遅延期間が一定となる。その結果、上記遅延期間のばらつきを防止でき、表示品質の低下を防止することができる。なお、動画のデータは、装置内の記憶部から取得してもよいし、外部の装置から取得してもよい。
【００２０】
一般に、動画のデータには、該動画に含まれる各静止画を提示するタイミングを示す提示時刻情報が含まれている。そこで、本発明に係る表示モジュールの制御装置では、前記表示データ取得手段は、前記動画のデータから、該動画に含まれる各静止画を提示するタイミングを示す提示時刻情報をさらに取得しており、前記更新周期取得手段は、前記表示データ取得手段が取得した提示時刻情報を利用して、前記動画の更新周期を取得してもよい。
【００２１】
また、動画のデータには、該動画のフレームレートが含まれていることがある。そこで、本発明に係る表示モジュールの制御装置では、前記表示データ取得手段は、前記動画のデータから該動画のフレームレートを取得しており、前記更新周期取得手段は、前記表示データ取得手段が取得した前記動画のフレームレートから前記動画の更新周期を取得してもよい。
【００２２】
本発明に係る制御装置は、表示データを表示画像に変換する走査処理を行う走査モードと、該走査処理を休止する休止モードとを有する表示モジュールを制御する表示モジュールの制御装置であって、上記課題を解決するために、前記表示データを取得する表示データ取得手段と、前記走査モードおよび前記休止モードを周期的に指示するモード指示手段と、該モード指示手段が前記走査モードを指示すると、前記表示データを前記表示モジュールに送信するデータ送信手段とを備えており、前記表示データの更新を検知する更新検知手段をさらに備えており、前記モード指示手段は、前記更新検知手段が前記表示データの更新を検知すると、前記走査モードを指示することを特徴としている。
【００２３】
また、本発明に係る制御方法は、表示データを表示画像に変換する走査処理を行う走査モードと、該走査処理を休止する休止モードとを有する表示モジュールを制御する表示モジュールの制御装置の制御方法であって、上記課題を解決するために、前記表示データを取得する表示データ取得ステップと、前記表示データの更新を検知する更新検知ステップと、前記走査モードおよび前記休止モードを周期的に指示すると共に、前記更新検知ステップにて前記表示データの更新を検知すると前記走査モードを指示するモード指示ステップと、該モード指示ステップにて前記走査モードが指示されると、前記表示データを前記表示モジュールに送信するデータ送信ステップとを含むことを特徴としている。
【００２４】
上記の構成および方法によると、表示データの更新が検知されると、表示モジュールに対し、走査モードが指示されると共に、当該表示データが送信される。これにより、表示モジュールは、走査モードが指示されると共に、表示データも受信するので、受信した表示データを表示画像に変換して表示することになる。
【００２５】
従って、表示モジュールを間欠的に動作させると共に、画像が更新されてから更新された画像が表示されるまでの遅延期間が一定かつ短くなる。その結果、上記遅延期間のばらつきを防止でき、表示品質の低下を防止することができる。なお、表示データは、装置内の記憶部から取得してもよいし、外部の装置から取得してもよい。また、表示データは、静止画の表示データでもよいし、動画に含まれる各静止画の表示データであってもよい。
【００２６】
本発明に係る表示モジュールの制御装置では、前記モード指示手段は、前記更新検知手段が前記表示データの更新を検知すると、前記走査モードおよび前記休止モードの周期的な指示とは別に、前記走査モードを新たに指示してもよい。この場合、走査モードおよび休止モードの周期的な指示が変更されないので、該周期的な指示を行う構成を変更しなくて済む。
【００２７】
本発明に係る表示モジュールの制御装置では、前記モード指示手段は、前記更新検知手段が前記表示データの更新を検知すると、前記走査モードを指示し、該指示を始点とする前記走査モードおよび前記休止モードの周期的な指示に変更してもよい。この場合、次の走査モードの指示時点は、指示した走査モードの前の走査モードの指示時点から繰返し周期を経過した時点ではなく、指示した走査モードの指示時点から繰返し周期を経過した時点となる。従って、次の走査モードの指示時点が早くはならないので、短期間で再び走査モードとなることによる電力消費の増加を抑えることができる。
【００２８】
一般に、表示データは、記憶部に一旦記憶され、適当なタイミングで、記憶部から読み出されて表示モジュールに送信される。従って、本発明に係る表示モジュールの制御装置では、前記表示データ取得手段は、取得した表示データを記憶部に記憶しており、前記データ送信手段は、前記記憶部に記憶された表示データを前記表示モジュールに送信しており、前記更新検知手段は、前記記憶部における前記表示データの更新を検知してもよい。
【００２９】
なお、上記構成の表示モジュールと、該表示モジュールを制御する上記構成の制御装置とを備える表示装置であれば、上述と同様の効果を奏する。また、上記表示装置としては、ＬＣＤであることが好ましいが、ＰＤＰ、ＥＬディスプレイ、ＦＥＤなどのその他のＦＰＤであってもよい。また、上記構成の表示装置を備えた携帯型電子機器であれば、上述と同様の効果を奏する。
【００３０】
なお、上記表示モジュールの制御装置の各手段を、表示制御プログラムによりコンピュータ上で実行させることができる。さらに、上記表示制御プログラムを、コンピュータ読取り可能な記録媒体に記憶させることにより、任意のコンピュータ上で当該表示制御プログラムを実行させることができる。
【発明の効果】
【００３１】
以上のように、本発明に係る表示モジュールの制御装置は、動画の更新周期と、走査モードおよび休止モードの繰返し周期とを同期させることにより、表示モジュールを間欠的に動作させると共に、画像が更新されてから、更新された画像が表示されるまでの遅延期間が一定となるので、上記遅延期間のばらつきを防止でき、表示品質の低下を防止できるという効果を奏する。
【００３２】
また、本発明に係る表示モジュールの制御装置は、表示データの更新が検知されると、表示モジュールに対し、走査モードが指示されると共に、当該表示データが送信されることにより、表示モジュールを間欠的に動作させると共に、上記遅延期間が一定かつ短くなるので、上記遅延期間のばらつきを防止でき、表示品質の低下を防止できるという効果を奏する。
【図面の簡単な説明】
【００３３】
【図１】本発明の一実施形態における液晶表示装置において、液晶モジュールを制御する制御装置の概略構成を示すブロック図である。
【図２】上記液晶表示装置の概略構成を示す回路図である。
【図３】上記液晶表示装置における表示制御デバイスに関して、走査モードおよび休止モードのそれぞれにおける各種動作を表形式で示す図である。
【図４】上記液晶モジュールの概略構成を示す回路図である。
【図５】メモリ画像の内容と、走査／休止モードと、表示画像の内容とを時系列で示すタイミングチャートである。
【図６】上記制御装置の処理の流れを示すフローチャートである。
【図７】本発明の他の実施形態における液晶表示装置において、液晶モジュールを制御する制御装置の概略構成を示すブロック図である。
【図８】走査／休止モードと表示画像の内容とを時系列で示すタイミングチャートである。
【図９】上記液晶表示装置の一実施例における制御装置の処理の流れを示すフローチャートである。
【図１０】上記制御装置における間欠制御デバイスの概略構成を示すブロック図である。
【図１１】上記間欠制御デバイスにおける各種信号の動作を示すタイミングチャートである。
【図１２】上記液晶表示装置の他の実施例における制御装置の処理の流れを示すフローチャートである。
【発明を実施するための形態】
【００３４】
〔実施の形態１〕
本発明の一実施形態について図１〜図６を参照して説明する。図２は、本実施形態の液晶表示装置の概略構成を回路図で示している。この液晶表示装置（表示装置）１０は、例えば携帯電話機、電子辞書などの携帯型電子機器における画像表示装置として搭載される。携帯型電子機器は、搭載される電池の寿命を延ばすため、各種構成の消費電力の低減が要求されている。
【００３５】
図２に示すように、液晶表示装置１０は、ＣＰＵ１１、バス１２、メモリ１３、液晶モジュール（表示モジュール）１４、表示制御デバイス（データ送信手段）１５、クロックデバイス１６、タイマ１７、および間欠制御デバイス（モード指示手段）１８を備えている。
【００３６】
ＣＰＵ１１は、例えばＲＡＭ（Random Access Memory）やフラッシュメモリなどの記憶素子に記憶されたプログラムを実行することにより、液晶表示装置１０内の各種構成の統括的な制御を、バス１２を介して行うものである。具体的には、ＣＰＵ１１は、表示制御デバイス１５および間欠制御デバイス１８の動作設定、表示データのメモリ１３への書込みなどを、バス１２を介して行っている。バス１２は、液晶表示装置１０内の各種構成間でデータの送受信を行うための共通の信号線である。
【００３７】
メモリ１３は、各種データおよびプログラムを記憶するものである。具体的には、メモリ１３は、ＲＯＭ（Read Only Memory）１３ａおよびＲＡＭ（記憶部）１３ｂを備える構成である（図１を参照）。ＲＯＭ１３ａは、ＣＰＵ１１の動作に必要なプログラム、画像文字フォント等の固定データを記憶する読出し専用の半導体メモリである。ＲＡＭ１３ｂは、演算に使用するデータ及び演算結果等を一時的に記憶するいわゆるワーキングメモリとして機能するものである。
【００３８】
本実施形態では、ＲＡＭ１３ｂは、ＶＲＡＭ（Video RAM）としても使用される。ＶＲＡＭは、ＣＰＵ１１および液晶モジュール１４間のバッファとして、表示データＤＡＴを記憶するものである。
【００３９】
液晶モジュール１４は、表示素子に文字、記号、図形などの画像を表示させる機能単位であり、表示画素がマトリクス状に配列されたマトリクス型のＬＣＤ素子と、該ＬＣＤ素子を駆動する駆動回路とを備えるものである。なお、液晶モジュール１４の詳細については後述する。
【００４０】
表示制御デバイス１５は、液晶モジュール１４の表示を制御するものである。具体的には、表示制御デバイス１５は、メモリ１３から読み出した表示データＤＡＴを液晶モジュール１４に転送すると共に、液晶モジュール１４の表示を制御するために必要な複数の制御信号ＣＮＴを送信している。この制御信号ＣＮＴの例としては、垂直同期信号Ｖsync、水平同期信号Ｈsync、表示データＤＡＴをＬＣＤ素子の各表示画素に転送するための転送クロック信号ＣＬＫｆ、などが挙げられる。
【００４１】
クロックデバイス１６は、時間間隔の計測や同期を取るために使用される周期信号であるクロック信号ＣＬＫを生成して、各種構成に送信するものである。タイマ１７は、クロックデバイス１６からのクロック信号ＣＬＫに基づき、規則的な間隔で内容が変化するレジスタである。タイマ１７は、入力されたパルスを数えたり、時間を計測したり、所定周期でパルスを出力したりする。
【００４２】
本実施形態では、液晶モジュール１４および表示制御デバイス１５は、１次元の表示データを２次元の表示画像に変換する走査処理を行う走査モードＭｓと、該走査を休止する休止モードＭｐとに切替え可能である。そして、間欠制御デバイス１８は、液晶モジュール１４および表示制御デバイス１５を走査モードＭｓおよび休止モードＭｐの何れかに制御するものである。具体的には、間欠制御デバイス１８は、走査モードＭｓおよび休止モードＭｐの何れかを指示するための走査／休止信号Ｓ／Ｐを生成して液晶モジュール１４および表示制御デバイス１５に送信している。
【００４３】
図３は、走査モードＭｓおよび休止モードＭｐのそれぞれにおける表示制御デバイス１５の各種動作を表形式で示している。図示のように、休止モードＭｐの場合、表示制御デバイス１５は、表示データＤＡＴのメモリ１３からの読出しおよび液晶モジュール１４への転送を停止すると共に、転送クロック信号ＣＬＫｆの液晶モジュール１４への送信を停止している。
【００４４】
この場合、液晶モジュール１４は、表示データＤＡＴおよび転送クロック信号ＣＬＫｆを受信しないので、受信しなかった信号に関する回路部が動作せずに済む。また、表示制御デバイス１５は、表示データＤＡＴおよび転送クロック信号ＣＬＫｆに関する処理を行う必要がないので、当該処理を行う回路部を停止させることができる。その結果、液晶モジュール１４および表示制御デバイス１５の消費電力を低減することができる。
【００４５】
ところで、表示制御デバイス１５が液晶モジュール１４に送信する信号のうち、表示データＤＡＴおよび転送クロック信号ＣＬＫｆは、他の信号に比べて周波数が高い。また、一般に、回路の消費電力は、「電圧×負荷容量×周波数」に比例するので、周波数を低くすれば、消費電力を低減することができる。従って、休止モードＭｐの場合、表示制御デバイス１５が表示データＤＡＴおよび転送クロック信号ＣＬＫｆを液晶モジュール１４に送信することを停止するより、液晶モジュール１４および表示制御デバイス１５の消費電力を大幅に低減することができる。
【００４６】
例えば、液晶モジュール１４の総画素数が４８０×３２０ドットであり、フレーム周波数が６０Ｈｚである場合、表示データＤＡＴの最大周波数および転送クロック信号ＣＬＫｆの周波数は９ＭＨｚ〜１２ＭＨｚ程度である。これに対し、垂直同期信号Ｖsyncの周波数は、フレーム周波数と同じ６０Ｈｚであり、水平同期信号Ｈsyncの周波数は、３２０×６０＝１９．２ｋＨｚである。水平同期信号Ｈsyncのデューティ比を１：９とした場合でも、水平同期信号Ｈsyncを生成したり処理したりするために必要なクロック信号の周波数は、１９．２ｋＨｚ×１０＝１９２ｋＨｚである。
【００４７】
従って、垂直同期信号Ｖsyncおよび水平同期信号Ｈsyncを生成したり処理したりするために必要なクロック信号の周波数は、表示データＤＡＴを処理するために必要な周波数や、転送クロック信号ＣＬＫｆを生成したり処理したりするために必要なクロック信号の周波数の約１／４０以下である。このことから、休止モードＭｐの場合に、特に表示データＤＡＴおよび転送クロック信号ＣＬＫｆの送信を停止することにより、液晶モジュール１４および表示制御デバイス１５の消費電力を大幅に低減できることが理解できる。
【００４８】
また、本実施形態では、休止モードＭｐの場合でも、垂直同期信号Ｖsyncおよび水平同期信号Ｈsyncを表示制御デバイス１５から液晶モジュール１４に送信している。これにより、休止モードＭｐから走査モードＭｓへの移行を、垂直同期信号Ｖsyncおよび水平同期信号Ｈsyncに基づいて行うことができる。また、上述の例の場合、１パルスの垂直同期信号Ｖsyncに対し、４８０パルス以上の水平同期信号Ｈsyncを表示制御デバイス１５が受信することになる。従って、表示制御デバイス１５は、上記移行のための準備を水平同期信号Ｈsyncに基づいて行うことにより、上記移行を垂直同期信号Ｖsyncに同期して確実に行うことができる。
【００４９】
また、図３に示すように、休止モードＭｐの場合、表示制御デバイス１５は、メモリ１３からバス１２を介して表示データＤＡＴを読み出すことを停止している。この場合、表示制御デバイス１５からメモリ１３へのアクセス頻度を低減できるので、他のデバイス、特にＣＰＵ１１からメモリ１３へのアクセス効率が向上する。また、バス１２の占有率を低減できるので、他のデバイス、特にＣＰＵ１１によるバス１２の使用頻度が向上し、パフォーマンスが向上することになる。
【００５０】
図４は、液晶モジュール１４の概略構成を示している。図示のように、液晶モジュール１４は、ＴＦＴパネル（表示素子）２２、走査信号線駆動回路２５、データ信号線駆動回路２６、および対向電極駆動回路２８を備える構成である。
【００５１】
ＴＦＴパネル２２は、ｉ行の走査信号線Ｇ１，Ｇ２，…，Ｇｉ（総称する場合、参照符号Ｇで示す。）と、ｊ列のデータ信号線Ｓ１，Ｓ２，…，Ｓｊ（総称する場合、参照符号Ｓで示す。）とによって区画された領域に画素電極２３を有している。該画素電極２３と対向電極２４との間に保持されている電圧によって該電極２３・２４間の液晶の透過率が変化し、これにより画像表示が行われる。なお、図４では、図面の簡略化のために、ｉ＝ｊ＝４としているが、これに限定されない。
【００５２】
走査信号線Ｇは走査信号線駆動回路２５に接続し、データ信号線Ｓはデータ信号線駆動回路２６に接続している。また、対向電極２４は、対向電極駆動回路２８に電気的に接続している。
【００５３】
走査信号線駆動回路２５は、垂直同期信号Ｖsyncおよび水平同期信号Ｈsyncを受信し、垂直同期信号Ｖsyncに基づいて走査信号線Ｇへの駆動動作を開始し、水平同期信号Ｈsyncに基づいて、水平走査周期ごとに走査信号線Ｇを順次駆動する。一方、データ信号線駆動回路２６は、水平同期信号Ｈsync、表示データＤＡＴ、および転送クロック信号ＣＬＫｆを受信し、水平同期信号Ｈsyncに基づいてデータ信号線Ｓへの駆動動作を開始し、転送クロック信号ＣＬＫｆに基づいて、表示データＤＡＴを１画素毎に分割したデータ信号を、各データ信号線Ｓにそれぞれ順次出力駆動する。
【００５４】
これにより、走査信号線Ｇおよびデータ信号線Ｓの各交点に形成されたＴＦＴ素子（図示せず）を介して、各画素電極２３に個別に対応する電圧が印加される。なお、対向電極駆動回路２８は、水平同期信号Ｈsyncを受信し、水平同期信号Ｈsyncに基づいて対向電極２４を駆動する。
【００５５】
本実施形態では、データ信号線駆動回路２６は、間欠制御デバイス１８からの走査／休止信号Ｓ／Ｐに基づいて、走査モードＭｓおよび休止モードＭｐの何れかで動作する。データ信号線駆動回路２６は、休止モードＭｐの場合、表示データＤＡＴおよび転送クロック信号ＣＬＫｆに関する回路部の動作を停止している。これにより、消費電力を大幅に低減することができる。
【００５６】
なお、フリッカが気にならないレベルであれば、間欠制御デバイス１８からの休止／動作信号Ｐ／Ａを走査信号線駆動回路２５および対向電極駆動回路２８にも送信して、休止モードＭｐの場合に、走査信号線駆動回路２５、データ信号線駆動回路２６、および対向電極駆動回路２８の全ての動作を停止してもよい。
【００５７】
本実施形態では、液晶モジュール１４にて動画が再生表示され、動画の更新周期と、走査モードＭｓおよび休止モードＭｐの繰返し周期とが同期するように液晶モジュール１４を制御する。これにより、液晶モジュール１４を間欠的に動作させると共に、ＣＰＵ１１にて動画に含まれる画像が更新されてから、間欠制御デバイス１８にて走査モードＭｓが指示されるまでの遅延期間が一定となる。
【００５８】
さらに、液晶モジュール１４は、走査モードＭｓが指示されると共に、表示データＤＡＴおよび制御信号ＣＮＴも受信するので、受信した表示データＤＡＴを表示画像に変換して表示することになる。従って、走査モードＭｓが指示されてから、更新された画像が表示されるまでの期間が一定となる。
【００５９】
以上より、本実施形態の液晶表示装置１０は、上記画像が更新されてから、更新された画像が表示されるまでの遅延期間が一定となる。その結果、上記遅延期間のばらつきを防止でき、表示品質の低下を防止することができる。
【００６０】
この効果について、図５を参照して具体的に説明する。図５は、メモリに記憶された画像（メモリ画像）の内容と、液晶モジュールが走査モードＭｓおよび休止モードＭｐの何れであるかを示す走査／休止モードと、該液晶モジュールに表示される画像（表示画像）の内容とを時系列で示している。また、同図の（ａ）は、本実施形態の液晶表示装置１０に関するものであり、同図の（ｂ）は、参考例であり、対応する従来の液晶表示装置に関するものである。
【００６１】
図５の例では、液晶モジュールの垂直走査周波数は６０Ｈｚである。すなわち、液晶モジュールが１画面を表示する表示周期Ｔｄは１／６０［秒］となる。また、動画のフレームレートは１０ｆｐｓ（frame per second）である。すなわち、動画の更新周期Ｔｍは、１／１０［秒］＝６Ｔｄとなる。そして、メモリ画像は、開始時刻ｔ０から更新周期Ｔｍ（＝６Ｔｄ）ごとに、画像Ａ・画像Ｂ・画像Ｃ・画像Ｄ…と更新される。
【００６２】
また、走査／休止モードは、パルス波形で示されており、高（Ｈ）レベルが走査モードＭｓを示し、低（Ｌ）レベルが休止モードＭｐを示している。なお、実際には、それぞれの更新タイミングにはタイムラグが存在するが、本発明の理解を容易にするため、図５の例では上記タイムラグを省略している。
【００６３】
従来の液晶表示装置では、走査モードＭｓおよび休止モードＭｐの更新タイミングと、動画の更新周期Ｔｍとは無関係である。このため、図５の（ｂ）に示すように、走査モードＭｓの期間が１Ｔｄに設定され、休止モードＭｐの期間が３Ｔｄに設定されて、走査モードＭｓおよび休止モードＭｐの繰返し周期Ｔｒが４Ｔｄとなり、画像の更新周期Ｔｍ＝６Ｔｄと異なることがある。
【００６４】
この場合、図５の（ｂ）に示すように、表示画像は、開始時刻ｔ０から繰返し周期Ｔｒ（＝４Ｔｄ）ごとに、画像Ａ・画像Ａ・画像Ｂ・画像Ｃ・画像Ｃ・画像Ｄ…となる。従って、動画に含まれる画像Ａ〜Ｄが表示される期間が、４Ｔｄと８Ｔｄとにばらつき、表示品質が低下することになる。
【００６５】
これに対し、本実施形態の液晶表示装置１０では、走査モードＭｓおよび休止モードＭｐの繰返し周期Ｔｒと、動画の更新周期Ｔｍとを同期させている。このため、図５の（ａ）に示すように、繰返し周期Ｔｒが、画像の更新周期Ｔｍ＝６Ｔｄに一致するように、走査モードＭｓの期間が１Ｔｄに設定され、休止モードＭｐの期間が５Ｔｄに設定される。
【００６６】
これにより、表示画像は、開始時刻ｔ０から繰返し周期Ｔｒ（＝６Ｔｄ）ごとに、画像Ａ・画像Ｂ・画像Ｃ・画像Ｄ…となる。従って、動画に含まれる画像Ａ〜Ｄが表示される期間が、６Ｔｄで一定となるので、表示品質が低下することを防止できる。
【００６７】
図１は、本実施形態の液晶表示装置１０において、液晶モジュール１４を制御する制御装置３０の概略構成を機能ブロック図で示している。図示のように、制御装置３０は、ＣＰＵ１１、表示制御デバイス１５、および間欠制御デバイス１８によって構成される。なお、ＣＰＵ１１以外の各種構成は、上述の通りである。
【００６８】
図１に示すように、ＣＰＵ１１は、動画復号部（表示データ取得手段）３１および更新周期取得部（更新周期取得手段）３２を備えている。動画復号部３１は、符号化されたストリーム形式の動画データを取得し、取得した動画データを復号して、動画に含まれる複数の静止画の表示データＤＡＴを、時系列順に作成するものである。動画復号部３１は、作成した表示データＤＡＴをＲＡＭ１３ｂに記憶させる。また、動画復号部３１は、上記動画データから、上記動画のフレームレートを取得し、取得したフレームレートを更新周期取得部３２に通知する。
【００６９】
なお、動画データは、液晶表示装置１０の外部装置から有線または無線で取得してもよいし、液晶表示装置１０の内部に設けられたフラッシュメモリ、ＨＤＤ（Hard Disk Drive）等の大容量記憶デバイスから取得してもよい。また、動画データとしては、ＭＰＥＧ（Motion Picture Experts Group）−２、Ｈ．２６４／ＡＶＣなど、公知の符号化方式を利用することができる。
【００７０】
更新周期取得部３２は、動画復号部３１が取得した動画に関する更新周期Ｔｍを取得するものである。具体的には、更新周期取得部３２は、動画復号部３１からの動画のフレームレートの逆数を算出することにより、動画の更新周期Ｔｍを取得している。更新周期取得部３２は、取得した動画の更新周期Ｔｍを、走査モードＭｓおよび休止モードＭｐの繰返し周期Ｔｒとして設定するように、間欠制御デバイス１８に指示する。
【００７１】
図６は、上記構成の制御装置３０における処理の流れを示している。図示のように、まず、動画復号部３１が動画データを取得し（ステップＳ１０（以下「Ｓ１０」と略称することがある。他のステップについても同様である。））、取得された動画データから、更新周期取得部３２が動画のフレームレートを取得する（Ｓ１１）。
【００７２】
次に、更新周期取得部３２は、前回取得したフレームレートから、今回取得したフレームレートが変化しているか否かを判断する（Ｓ１２）。変化していない場合には、ステップＳ１０に戻って、上述の動作を繰り返す。
【００７３】
一方、変化している場合には、更新周期取得部３２は、今回取得した動画のフレームレートから動画の更新周期Ｔｍを取得し、取得した動画の更新周期Ｔｍを、走査モードＭｓおよび休止モードＭｐの繰返し周期Ｔｒとして設定するように、間欠制御デバイス１８に指示する（Ｓ１３）。その後、ステップＳ１０に戻って、上述の動作を繰り返す。
【００７４】
なお、動画データに上記フレームレートを含まない場合がある。この場合には、一般に、動画データは、動画に含まれる各静止画の再生時刻（提示時刻情報）を含むので、更新周期取得部３２は、当該再生時刻から更新周期Ｔｍの平均値を算出すればよい。
【００７５】
〔実施の形態２〕
次に、本発明の他の実施形態について図７〜図１２を参照して説明する。図７は、本実施形態の液晶表示装置１０において、液晶モジュール１４を制御する制御装置４０の概略構成を機能ブロック図で示している。本実施形態の制御装置４０は、図１に示す制御装置３０に比べて、更新周期取得部３２の代わりに更新検知部（更新検知手段）４２を備える点が異なり、その他の構成は同様である。なお、上記実施形態で説明した構成および処理と同様の構成および処理には同一の符号を付して、その説明を省略する。
【００７６】
更新検知部４２は、メモリ１３に記憶された表示データＤＡＴの更新を検知するものである。なお、本実施形態では、表示データＤＡＴの更新は、動画復号部３１からの通知によって検知しているが、ＲＡＭ１３ｂを監視することによって検知することもできる。
【００７７】
更新検知部４２は、表示データＤＡＴの更新を検知すると、間欠制御デバイス１８に指示して、走査モードＭｓを示す走査／休止信号Ｓ／Ｐを液晶モジュール１４および表示制御デバイス１５に送信させる。これにより、液晶モジュール１４は、走査モードＭｓが指示されると共に、更新された表示データＤＡＴを受信する。その結果、液晶モジュール１４は、更新された表示データＤＡＴを表示画像に変換して表示することになる。
【００７８】
以上より、本実施形態の液晶表示装置１０は、液晶モジュール１４を間欠的に動作させると共に、表示データＤＡＴが更新されてから、更新された表示データＤＡＴの画像が表示されるまでの遅延期間が一定かつ短くなる。その結果、上記遅延期間のばらつきを防止でき、表示品質の低下を防止することができる。
【００７９】
この効果について、図８を参照して具体的に説明する。図８は、図５と同様に、上記走査／休止モードと、上記表示画像の内容とを時系列で示している。また、同図の（ａ）・（ｂ）は、本実施形態の液晶表示装置１０およびその変形例に関するものであり、同図の（ｃ）は、参考例であり、対応する従来の液晶表示装置に関するものである。
【００８０】
図８における表示周期Ｔｄは、図５と同様である。一方、図８の例では、走査モードＭｓの期間が１Ｔｄに設定され、休止モードＭｐの期間が１１Ｔｄに設定されて、走査モードＭｓおよび休止モードＭｐの繰返し周期Ｔｒが１２Ｔｄとなっている。
【００８１】
従来の液晶表示装置では、走査モードＭｓおよび休止モードＭｐの更新タイミングと、メモリ画像の更新タイミングとは無関係である。このため、図８の（ｃ）に示すように、或る時刻ｔ１にて上記メモリ画像が「ＡＢＣ」から「ＡＢＣＤ」に更新されても、表示画像は、「ＡＢＣ」のままであって、直ぐには変更されず、次の走査モードＭｓにおいて「ＡＢＣＤ」に変更される。従って、時刻ｔ１が不定であれば、メモリ画像の更新から表示画像の更新までの遅延期間が不定となり、表示品質が低下することになる。
【００８２】
これに対し、本実施形態の液晶表示装置１０では、図８の（ａ）・（ｂ）に示すように、或る時刻ｔ１にて上記メモリ画像が「ＡＢＣ」から「ＡＢＣＤ」に更新されると、直ちに走査モードＭｓとなり、表示画像が「ＡＢＣ」から「ＡＢＣＤ」に更新される。従って、時刻ｔ１が不定であっても、メモリ画像の更新から表示画像の更新までの遅延期間が一定となるので、表示品質の低下を防止することができる。さらに、メモリ画像の更新が表示画像に反映されるまでの応答期間が短いので、例えば、ユーザが操作すると、該操作に基づく画像が迅速に表示されることになり、表示品質を向上させることができる。
【００８３】
ところで、従来の液晶表示装置では、ＣＰＵ１１が表示データをＲＡＭ１３ｂに書き込むことは、表示制御デバイス１５がＲＡＭ１３ｂから表示データＤＡＴを読み出すことと無関係に行われている。このため、更新途中の表示データＤＡＴが読み出されて表示されるテアリングを防止するため、ＲＡＭ１３ｂに２画面分の記憶領域を確保する必要がある。
【００８４】
これに対し、本実施形態では、ＲＡＭ１３ｂにおける表示データＤＡＴの更新が完了した後に、走査モードＭｓが指示されて、表示制御デバイス１５がＲＡＭ１３ｂから表示データＤＡＴを読み出している。これにより、上記テアリングが発生しないので、ＲＡＭ１３ｂに１画面分の記憶領域を確保すればよい。
【００８５】
次に、図８の（ａ）・（ｂ）の実施例の詳細について説明する。
【実施例１】
【００８６】
図８の（ａ）は、走査モードＭｓおよび休止モードＭｐの繰返しのタイミングが、メモリ画像の更新とは無関係である実施例を示している。図示のように、この実施例では、上記繰返しのタイミングとは別に、メモリ画像の更新による走査モードＭｓが追加されることになる。
【００８７】
図９は、本実施例における制御装置４０の処理の流れを示している。図示のように、まず、更新検知部４２が、表示データＤＡＴの更新を検知するまで待機し（Ｓ２０）、検知すると、間欠制御デバイス１８は、液晶モジュール１４および表示制御デバイス１５に走査モードＭｓを指示する（Ｓ２１）、すなわち、走査モードＭｓを示す走査／休止信号Ｓ／Ｐを液晶モジュール１４および表示制御デバイス１５に送信する。その後、ステップＳ２０に戻って、上述の動作を繰り返す。
【００８８】
図１０は、本実施例における間欠制御デバイス１８の概略構成を示している。図示のように、間欠制御デバイス１８は、走査／休止設定レジスタ５０、カウント回路５１、追加パルス発生回路５２、および合成回路５３を備える構成である。
【００８９】
走査／休止設定レジスタ５０は、走査モードＭｓおよび休止モードＭｐの繰返し周期Ｔｒの設定値を格納するためのものである。該設定値は、表示周期Ｔｄを単位としており、図８の例では１２である。上記設定値はＣＰＵ１１により設定可能である。
【００９０】
カウント回路５１は、垂直同期信号Ｖsyncに同期してカウントを行い、走査／休止設定レジスタ５０に格納された設定値の回数ごとに、走査モードＭｓを指示するためのパルスを発生するものである。カウント回路５１は、発生したパルスを合成回路５３に出力する。
【００９１】
追加パルス発生回路５２は、更新検知部４２からの指示を受け取ると、追加の走査モードＭｓを指示するためのパルスを発生するものである。追加パルス発生回路５２は、発生したパルスを合成回路５３に出力する。
【００９２】
合成回路５３は、カウント回路５１からのパルスと、追加パルス発生回路５２からのパルスとを合成するものである。合成回路５３は、合成したパルスを走査／休止信号Ｓ／Ｐとして出力する。
【００９３】
図１１は、本実施例の間欠制御デバイス１８における各種信号の動作を示している。図示の例では、上から順番に、垂直同期信号Ｖsync、カウント回路５１の出力信号、追加パルス発生回路５２の出力信号、および合成回路５３の出力信号（走査／休止信号）Ｓ／Ｐの動作が示されている。なお、本実施例では、垂直同期信号Ｖsyncは負論理の信号である。また、走査／休止信号Ｓ／Ｐは、Ｈレベルが走査モードＭｓを示し、Ｌレベルが休止モードＭｐを示している。また、図示の例では、信号線の伝送や回路内の処理による遅延分は省略されている。
【００９４】
図１１に示すように、カウント回路５１は、垂直同期信号Ｖsyncの立下りでカウントを行い、走査／休止設定レジスタ５０における設定値の回数（図示の例では４回）ごとにパルスを発生している。そして、走査／休止信号Ｓ／Ｐは、カウント回路５１の出力信号と、追加パルス発生回路５２の出力信号とを合成したものとなることが理解できる。
【実施例２】
【００９５】
一方、図８の（ｂ）は、上記繰返しを開始するタイミングをメモリ画像の更新に同期させている実施例を示している。図示のように、この実施例では、メモリ画像が更新されると、これまでの上記繰返しが終了し、新たな上記繰返しが開始されることになる。
【００９６】
図１２は、本実施例における制御装置４０の処理の流れを示している。図示のように、まず、更新検知部４２が、表示データＤＡＴの更新を検知するまで待機し（Ｓ２０）、検知すると、間欠制御デバイス１８は、液晶モジュール１４および表示制御デバイス１５に走査モードＭｓを指示し（Ｓ２１）、該指示を始点として、走査モードＭｓおよび休止モードＭｐを周期的に指示するように設定しなおす（Ｓ２２）。その後、ステップＳ２０に戻って、上述の動作を繰り返す。
【００９７】
図８の（ｂ）に示す本実施例は、図８の（ａ）に示す実施例に比べて、追加の走査モードＭｓから次の走査モードＭｓまでの期間が長くなるので、その分だけ消費電力を抑えることができる。また、本実施例の間欠制御デバイス１８は、図１０に示す間欠制御デバイス１８に比べて、追加パルス発生回路５２を省略できるが、更新検知部４２からの指示に基づいてカウント回路５１をリセットする機能が必要となり、タイミング調整が必要となる。
【００９８】
なお、本実施形態では、動画復号部３１が動画に含まれる各静止画の表示データＤＡＴを作成して、ＲＡＭ１３ｂに記憶させているが、動画に限定されるものではなく、静止画であってもよい。
【００９９】
また、電子辞書での単語の訳表示、画像表示など、部分的に順次表示されるより、液晶モジュール１４の表示画面が一気に更新される方が好ましい場合がある。この場合、ＲＡＭ１３ｂへの表示データＤＡＴの書込みが終了するまで、走査モードＭｓを追加せず、該書込みが終了した後に走査モードＭｓを追加することで実現できる。また、上記書込み中に本来の走査モードＭｓのタイミングに到達した場合には、この走査モードＭｓを上記書込みの完了まで遅らせることで、上記表示画面を一気に更新することが可能になる。
【０１００】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０１０１】
例えば、上記実施形態では、制御装置３０・４０を構成するＣＰＵ１１、表示制御デバイス１５、および間欠制御デバイス１８が別々のデバイスとして記載されているが、これらの少なくとも２つまたは全てが一体のデバイスであってもよい。
【０１０２】
また、上記実施形態では、本発明を携帯型電子機器の画像表示装置に適用しているが、デスクトップ型ＰＣ（Personal Computer）など、携帯型以外の電子機器に本発明を適用してもよい。また、上記実施形態では、ＬＣＤを備えた画像表示装置に適用しているが、ＰＤＰ、ＥＬディスプレイ、ＦＥＤなど、その他のＦＰＤを備えた画像表示装置に適用することもできる。
【０１０３】
また、上記実施形態では、間欠駆動方式の液晶モジュール１４の実施例として図４を挙げているが、本発明はこれに限定されるものではなく、公知の間欠駆動方式の液晶モジュールに適用することができる。
【０１０４】
また、上記実施形態では、表示制御デバイス１５は、上述の垂直同期信号Ｖsync、水平同期信号Ｈsync、および転送クロック信号ＣＬＫｆを液晶モジュール１４に送信しているが、ソーススタートパルス信号、データ有効信号など、その他の制御信号を送信するものも存在する。この場合、上記その他の制御信号の生成および送信を休止モードＭｐにおいて停止することにより、液晶モジュール１４および表示制御デバイス１５の消費電力をさらに低減することができる。
【０１０５】
また、上記実施形態では、走査モードＭｓおよび休止モードＭｐの各期間を、表示周期Ｔｄまたはその倍数としているが、表示周期Ｔｄとは無関係な期間であってもよい。
【０１０６】
最後に、液晶表示装置１０の各ブロックは、ハードウェアロジックによって構成してもよいし、次のようにＣＰＵを用いてソフトウェアによって実現してもよい。
【０１０７】
すなわち、液晶表示装置１０は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである液晶表示装置１０の制御プログラムのプログラムコード（実行形式プログラム、中間コードプログラム、ソースプログラム）をコンピュータで読み取り可能に記録した記録媒体を、上記液晶表示装置１０に供給し、そのコンピュータ（またはＣＰＵやＭＰＵ）が記録媒体に記録されているプログラムコードを読み出し実行することによっても、達成可能である。
【０１０８】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１０９】
また、液晶表示装置１０を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１１０】
以上のように、本発明は、動画の更新周期と、走査モードおよび休止モードの繰返し周期とを同期させたり、表示データの更新を検知すると、表示モジュールに対し、走査モードを指示すると共に、当該表示データを送信したりすることにより、画像が更新されてから、更新された画像が表示されるまでの遅延期間が一定となり、表示品質の低下を防止できるので、間欠的に動作する任意のマトリックス型表示装置に適用可能である。
【符号の説明】
【０１１１】
１０  液晶表示装置（表示装置）
１１  ＣＰＵ
１２  バス
１３  メモリ
１３ａ  ＲＯＭ
１３ｂ  ＲＡＭ（記憶部）
１４  液晶モジュール（表示モジュール）
１５  表示制御デバイス（データ送信手段）
１６  クロックデバイス
１７  タイマ
１８  間欠制御デバイス（モード指示手段）
２２  ＴＦＴパネル
２３  画素電極
２４  対向電極
２５  走査信号線駆動回路
２６  データ信号線駆動回路
２８  対向電極駆動回路
３０・４０  制御装置
３１  動画復号部（表示データ取得手段）
３２  更新周期取得部（更新周期取得手段）
４２  更新検知部（更新検知手段）
５０  走査／休止設定レジスタ
５１  カウント回路
５２  追加パルス発生回路
５３  合成回路
【図１】
2012018271.tif 000003
【図２】
2012018271.tif 000004
【図３】
2012018271.tif 000005
【図４】
2012018271.tif 000006
【図５】
2012018271.tif 000007
【図６】
2012018271.tif 000008
【図７】
2012018271.tif 000009
【図８】
2012018271.tif 000010
【図９】
2012018271.tif 000011
【図１０】
2012018271.tif 000012
【図１１】
2012018271.tif 000013
【図１２】
2012018271.tif 000014